(57)【要約】【課題】遊技盤の遊技領域に設けられた入賞口に遊技球が入賞したことに基づき所定数の球を払い出す球払出装置と、遊技球を貯留する貯留部を有する前面開放枠と、球払出装置から払い出された遊技球を貯留部に誘導する誘導流路と、を備えた遊技機において、前面開放枠を開放した際に、誘導流路から排出される遊技球がこぼれないようにする。【解決手段】前面本体枠１３０に、前面開放枠１４０が開状態である場合に第１流路１９３ａから流出する遊技球を回収する落下球回収部２００を備える。また、落下球回収部２００に、第１流路１９３ａの下流側端部の下方から前方へ延出する落下球受入部２０１と、落下球受入部２０１に受け入れた遊技球を所定部位に誘導する落下球案内路２０２と、を備える。また、前面開放枠１４０に、落下球受入部２０１内に停留する遊技球を落下球案内路２０２へ誘導する誘導部２６６を備える。【選択図】図１７
2011030905.tif 000002
【特許請求の範囲】
【請求項１】
前面に遊技球が流下する遊技領域を形成した遊技盤と、
前記遊技領域に設けられた入賞口に遊技球が入賞したことに基づき所定数の球を払い出す球払出装置と、
前記遊技盤及び前記球払出装置を取り付ける前面本体枠と、
遊技球を貯留する貯留部を有し、前記前面本体枠の前面に重なる閉状態と、前記前面本体枠の前方に回動した開状態とに変換可能に取り付けられた前面開放枠と、
前記球払出装置から払い出された遊技球を前記貯留部に誘導する誘導流路と、
を備えた遊技機において、
前記誘導流路は、
前記前面本体枠側に設けられた第１流路と、
前記前面開放枠側に設けられた第２流路と、からなり、
前記前面開放枠が前記閉状態である場合に、前記第１流路の下流側端部と前記第２流路の上流側端部が接続して連通するように構成され、
前記前面本体枠は、
前記前面開放枠が前記開状態である場合に、前記第１流路の下流側端部から流出する遊技球を回収する落下球回収部を備え、
前記落下球回収部は、
前記第１流路の下流側端部の下方から前方へ延出する落下球受入部と、
前記落下球受入部に受け入れた遊技球を所定部位に誘導する落下球案内路と、を備え、
前記前面開放枠は、
当該前面開放枠を前記閉状態とした際に前記落下球受入部の上方に重なる部分に、当該落下球受入部内に停留する遊技球を前記落下球案内路へ誘導する誘導部を備えることを特徴とする遊技機。
【請求項２】
前記前面本体枠は、
前記第１流路の下流側端部を閉鎖する閉鎖状態と、開放する開放状態とに変換可能な閉鎖部材と、
前記閉鎖部材を前記閉鎖状態となるように付勢する付勢部材と、
前記前面開放枠を前記閉状態に変換することに伴い、前記閉鎖部材を前記開放状態に変換する変換手段と、を備えることを特徴とする請求項１に記載の遊技機。
【請求項３】
前記閉鎖部材は、前記閉鎖状態から下方に移動することで前記開放状態に変換されるように構成され、
前記変換手段は、
前記閉鎖部材の前面に形成された下方に向かって前方に突出する傾斜面と、
前記第２流路の上流側端部の下端に形成された後方突出部と、から構成され、
前記前面開放枠を前記閉状態とする際に、前記後方突出部が前記傾斜面に当接して当該傾斜面を後方へ押圧することで前記閉鎖部材が下方に移動し、前記開放状態に変換されることを特徴とする請求項２に記載の遊技機。
【請求項４】
前記後方突出部は、前記前面開放枠を前記閉状態とした際に、前記閉鎖部材の上方に重なることを特徴とする請求項３に記載の遊技機。
【発明の詳細な説明】
【技術分野】
【０００１】
本発明は、遊技盤の遊技領域に設けられた入賞口に遊技球が入賞したことに基づき所定数の球を払い出す球払出装置と、遊技球を貯留する貯留部を有する前面開放枠と、球払出装置から払い出された遊技球を貯留部に誘導する誘導流路と、を備えた遊技機に関する。
【背景技術】
【０００２】
上方の遊技領域へ遊技球を発射して遊技を行う遊技機において、遊技領域の前面を覆うガラス枠や、発射球を貯留する上球皿（貯留部）を備えた開閉パネルを開放した際に落下した遊技球を受け入れる落下球案内部を備えた遊技機が知られている（例えば特許文献１参照）。
【先行技術文献】
【特許文献】
【０００３】
【特許文献１】特開平１１−１７９０１８号公報
【発明の概要】
【発明が解決しようとする課題】
【０００４】
上述の遊技機での落下球案内部は、主に遊技領域から略垂直に落下する遊技球を受け入れることを目的としている。しかしながら、上球皿に排出される賞球や貸球は、遊技機の裏面側に配された球払出装置に接続した流路（誘導流路）から遊技機の前方へ向かって略水平に排出されるため、上球皿を備えた開閉パネル（前面開放枠）を開放した際に落下球案内部を越えて遊技機の前方へこぼれる可能性があった。
【０００５】
本発明の目的は、遊技盤の遊技領域に設けられた入賞口に遊技球が入賞したことに基づき所定数の球を払い出す球払出装置と、遊技球を貯留する貯留部を有する前面開放枠と、球払出装置から払い出された遊技球を貯留部に誘導する誘導流路と、を備えた遊技機において、前面開放枠を開放した際に、誘導流路から排出される遊技球がこぼれないようにすることである。
【課題を解決するための手段】
【０００６】
以上の課題を解決するため、請求項１に記載の発明は、前面に遊技球が流下する遊技領域を形成した遊技盤と、
前記遊技領域に設けられた入賞口に遊技球が入賞したことに基づき所定数の球を払い出す球払出装置と、
前記遊技盤及び前記球払出装置を取り付ける前面本体枠と、
遊技球を貯留する貯留部を有し、前記前面本体枠の前面に重なる閉状態と、前記前面本体枠の前方に回動した開状態とに変換可能に取り付けられた前面開放枠と、
前記球払出装置から払い出された遊技球を前記貯留部に誘導する誘導流路と、
を備えた遊技機において、
前記誘導流路は、
前記前面本体枠側に設けられた第１流路と、
前記前面開放枠側に設けられた第２流路と、からなり、
前記前面開放枠が前記閉状態である場合に、前記第１流路の下流側端部と前記第２流路の上流側端部が接続して連通するように構成され、
前記前面本体枠は、
前記前面開放枠が前記開状態である場合に、前記第１流路の下流側端部から流出する遊技球を回収する落下球回収部を備え、
前記落下球回収部は、
前記第１流路の下流側端部の下方から前方へ延出する落下球受入部と、
前記落下球受入部に受け入れた遊技球を所定部位に誘導する落下球案内路と、を備え、
前記前面開放枠は、
当該前面開放枠を前記閉状態とした際に前記落下球受入部の上方に重なる部分に、当該落下球受入部内に停留する遊技球を前記落下球案内路へ誘導する誘導部を備えることを特徴とする。
【０００７】
ここで、貯留部は、発射球を貯留するいわゆる上皿の他、上皿に収容できなかった遊技球を貯留するいわゆる下皿を含んでも良い。また、上皿と下皿の機能が一体になったものも含まれる。
また、前面開放枠は、遊技盤の前面を覆うガラス枠と上皿が一体のものでも良いし、ガラス枠とは別体で上皿を備えるものでも良い。また、ガラス枠とは別体で上皿と下皿を備えるものでも良いし、ガラス枠とは別体で上皿と下皿の機能が一体になったものを備えるものでも良い。
また、落下球回収部が回収した遊技球を誘導する所定部位は例えば下皿である。ただし、遊技者に回収した遊技球を返却できれば下皿以外であっても良く、遊技機前面側であれば良い。
【０００８】
請求項１に記載の発明によれば、前面本体枠は、前面開放枠が開状態である場合に、第１流路の下流側端部から流出する遊技球を回収する落下球回収部を備え、落下球回収部は、第１流路の下流側端部の下方から前方へ延出する落下球受入部と、落下球受入部に受け入れた遊技球を所定部位に誘導する落下球案内路と、を備えるので、前面開放枠を開放した際に、誘導流路から排出される遊技球がこぼれないようにすることができる。また、落下球受入部に受け入れた遊技球を所定部位に誘導する落下球案内路により、回収した遊技球が遊技者に返却されるので、遊技者が得た利益を損なうことがない。
【０００９】
また、前面開放枠は、当該前面開放枠を閉状態とした際に落下球受入部の上方に重なる部分に、当該落下球受入部内に停留する遊技球を落下球案内路へ誘導する誘導部を備えるので、前面開放枠を開状態から閉状態に変換する際に、落下球受入部に遊技球が残っていたとしても落下球案内路側に誘導することができ、遊技球が邪魔で前面開放枠が閉まらなくなることを防止できる。また、回収した遊技球を確実に遊技者に返却することができる。
【００１０】
請求項２に記載の発明は、請求項１に記載の遊技機であって、前記前面本体枠は、
前記第１流路の下流側端部を閉鎖する閉鎖状態と、開放する開放状態とに変換可能な閉鎖部材と、
前記閉鎖部材を前記閉鎖状態となるように付勢する付勢部材と、
前記前面開放枠を前記閉状態に変換することに伴い、前記閉鎖部材を前記開放状態に変換する変換手段と、を備えることを特徴とする。
【００１１】
ここで、閉鎖部材は、第１流路の下流側端部の全てを閉鎖するものの他、一部を閉鎖するものも含まれる。また、遊技球が第１流路から落下しないようにするものであれば良く、遊技球が通過できない間隙を有していても良い。
また、閉鎖部材が閉鎖状態と開放状態との間で変換する際の動作は、スライド動作や回動動作など何でも良い。
【００１２】
請求項２に記載の発明によれば、前面本体枠は、第１流路の下流側端部を閉鎖する閉鎖状態と、開放する開放状態とに変換可能な閉鎖部材と、閉鎖部材を閉鎖状態となるように付勢する付勢部材と、前面開放枠を閉状態に変換することに伴い、閉鎖部材を開放状態に変換する変換手段と、を備えるので、前面開放枠を開放した際に、誘導流路から排出される遊技球がこぼれないようにすることができる。また、前面開放枠を閉状態に変換することに伴い、閉鎖部材を開放状態に変換する変換手段を備えるので、閉鎖部材を開放状態に変換するために特別な操作を必要とせず、メンテナンス等の際の手間がかかることがない。
【００１３】
請求項３に記載の発明は、請求項２に記載の遊技機であって、前記閉鎖部材は、前記閉鎖状態から下方に移動することで前記開放状態に変換されるように構成され、
前記変換手段は、
前記閉鎖部材の前面に形成された下方に向かって前方に突出する傾斜面と、
前記第２流路の上流側端部の下端に形成された後方突出部と、から構成され、
前記前面開放枠を前記閉状態とする際に、前記後方突出部が前記傾斜面に当接して当該傾斜面を後方へ押圧することで前記閉鎖部材が下方に移動し、前記開放状態に変換されることを特徴とする。
【００１４】
請求項３に記載の発明によれば、閉鎖部材は、閉鎖状態から下方に移動することで開放状態に変換されるように構成され、変換手段は、閉鎖部材の前面に形成された下方に向かって前方に突出する傾斜面と、第２流路の上流側端部の下端に形成された後方突出部と、から構成され、前面開放枠を閉状態とする際に、後方突出部が傾斜面に当接して当該傾斜面を後方へ押圧することで閉鎖部材が下方に移動し、開放状態に変換されるので、閉鎖部材を開放状態に変換するために特別な操作を必要とせず、メンテナンス等の際の手間がかかることがない。また、閉鎖状態から開放状態に変換する際に下方に移動することで変換されるため、変換の過程において遊技球が第１流路からこぼれにくい。
【００１５】
請求項４に記載の発明は、請求項３に記載の遊技機であって、前記後方突出部は、前記前面開放枠を前記閉状態とした際に、前記閉鎖部材の上方に重なることを特徴とする。
【００１６】
請求項４に記載の発明によれば、後方突出部は、前面開放枠を閉状態とした際に、閉鎖部材の上方に重なるので、前面開放枠を閉状態とした際に閉鎖部材を確実に開放状態とすることができる。また、前面開放枠を閉状態としているのにもかかわらず閉鎖部材が閉鎖状態となるような不具合を防止できる。また、第１流路と第２流路の接合部分で間隙ができることがなく、誘導流路を流下する遊技球を確実に貯留部へ誘導することができる。
【発明の効果】
【００１７】
本発明によれば、前面本体枠は、前面開放枠が開状態である場合に、第１流路の下流側端部から流出する遊技球を回収する落下球回収部を備え、落下球回収部は、第１流路の下流側端部の下方から前方へ延出する落下球受入部と、落下球受入部に受け入れた遊技球を所定部位に誘導する落下球案内路と、を備えるので、前面開放枠を開放した際に、誘導流路から排出される遊技球がこぼれないようにすることができる。また、落下球受入部に受け入れた遊技球を所定部位に誘導する落下球案内路により、回収した遊技球が遊技者に返却されるので、遊技者が得た利益を損なうことがない。
【００１８】
また、前面開放枠は、当該前面開放枠を閉状態とした際に落下球受入部の上方に重なる部分に、当該落下球受入部内に停留する遊技球を落下球案内路へ誘導する誘導部を備えるので、前面開放枠を開状態から閉状態に変換する際に、落下球受入部に遊技球が残っていたとしても落下球案内路側に誘導することができ、遊技球が邪魔で前面開放枠が閉まらなくなることを防止できる。また、回収した遊技球を確実に遊技者に返却することができる。
【図面の簡単な説明】
【００１９】
【図１】本発明を適用した一実施の形態の構成を示す遊技機の前面側から見た斜視図である。
【図２】前面枠を開放した状態を示す前面側から見た斜視図である。
【図３】前面開放枠を開放した状態を示す前面側から見た斜視図である。
【図４】遊技盤の正面図である。
【図５】落下球回収部の前面側から見た斜視図である。
【図６】落下球流路形成部材の前面側から見た斜視図である。
【図７】落下球流路形成部材の裏面図である。
【図８】閉鎖部材の前面側から見た斜視図である。
【図９】閉鎖部材の裏面側から見た斜視図である。
【図１０】第１流路の下流側端部の正面図である。
【図１１】第２流路形成部材の後方から見た斜視図である。
【図１２】第２流路形成部材の正面図である。
【図１３】第２流路形成部材の図１２に示すＡ−Ａ断面における断面図である。
【図１４】連通部の裏面側から見た斜視図である。
【図１５】前面開放枠が開状態での遊技機の側面から見た断面図である。
【図１６】前面開放枠を閉状態にする過程での遊技機の側面から見た断面図である。
【図１７】前面開放枠が閉状態での遊技機の側面から見た断面図である。
【発明を実施するための形態】
【００２０】
以下、本発明の実施形態について図面を参照して説明する。ここでは、本発明に係る遊技機の適例としてのパチンコ遊技機について説明を行う。図１に示すように、遊技機１００は、矩形枠状に構成された本体枠１１０を備え、本体枠１１０の前面側には、該本体枠１１０に対して前方向へ扉状に回動可能に矩形枠状の前面枠１２０が軸着されている。前面枠１２０は、当該前面枠１２０に備えられる各種部材等の取付用のベースとなる前面本体枠１３０と、当該前面本体枠１３０に対して、その前面側に回動可能に軸支された前面開放枠１４０と、前面本体枠１３０の前面であって前面開放枠１４０の下側に取り付けられた発射操作ユニット１５０と、を有する。
【００２１】
図２に示すように、前面本体枠１３０は、矩形枠状の本体枠１１０の前面側をちょうど覆うような概略矩形板状に構成されるとともに、その中央から上端部にわたる部分に、遊技盤１を嵌め込んで収容するための方形状の開口部１３１が形成されている。そして、前面本体枠１３０に収容された遊技盤１（図４に図示）の前面が前面本体枠１３０の開口部１３１から前側に臨むようになっている。すなわち、遊技盤１は、前面本体枠１３０に嵌め込まれることで前面枠１２０に取り付けられている。
【００２２】
前面本体枠１３０の前面には、施錠装置の一部をなす鍵穴１３３が形成されている。鍵穴１３３は、前面本体枠１３０の施錠装置の一部であるとともに、前面開放枠１４０の施錠装置の一部でもあって、鍵穴１３３に鍵を入れて一方（例えば、左回り）に回すと前面本体枠１３０の施錠が解除され、他方（例えば、右回り）に回すと前面開放枠１４０の施錠が解除されるようになっている。
【００２３】
図１、３に示すように、前面開放枠１４０は、前面本体枠１３０の上端から遊技盤１が嵌め込まれる開口部１３１の下方の所定領域までを覆うことのできる大きさとなっている。この前面開放枠１４０は、一方の側部（遊技機１００の前面側から見て左側の側部）が、前面本体枠１３０の一方の側部に回動可能に軸支されて扉状に開閉自在とされ、図１に示すように前面本体枠１３０の前面に重なる閉状態と、図３に示すように前面本体枠１３０の前方に回動した開状態とに変換可能に取り付けられている。
【００２４】
前面開放枠１４０の中央部分であって、前面開放枠１４０が閉状態において開口部１３１と対向する位置には、クリア部材として二重のガラス板１４１が取り付けられている。このガラス板と遊技盤１の前面との間であって、遊技盤１の前面に設けられたガイドレール２に囲まれた部分が、遊技球が発射されて流下する遊技領域１ａとされており、遊技機１００の前側からガラス板を介して少なくとも遊技領域１ａの部分が視認可能となっている。
【００２５】
また、前面開放枠１４０の前面であって、ガラス板１４１が取り付けられた部分の周囲には、内部にＬＥＤを備える枠装飾装置１４２、音声を出力するスピーカ１４５、１４５などが設けられている。また、前面開放枠１４０の前面であって、ガラス板１４１が取り付けられた部分の下方には、賞球や貸球として排出された遊技球を貯留するとともに、遊技球を発射する発射装置１６０に遊技球を送る貯留部としての上皿１４３が設けられている。上皿１４３の左端部には、球払出装置１９０から払い出された遊技球を誘導する誘導流路１９３の下流側端部が接続しており、ここから上皿１４３内に遊技球が排出される。なお、発射装置１６０への連通部は上皿１４３の右端部に位置しており、図３に示すように前面開放枠１４０の裏面側に設けられた発射球供給路１４７を介して前面本体枠１３０の前面に設けられた発射装置１６０に遊技球が供給されるようになっている。また、図１に示すように上皿１４３の上方には、上皿球抜きレバー１４４が設けられており、この上皿球抜きレバー１４４を操作する（スライドさせる）ことで上皿１４３内の遊技球を下皿１５１に排出することができる。さらに、上皿１４３の前方には、表示装置５０における演出に関連して遊技者が操作可能な演出用ボタン１４６が設けられている。
【００２６】
前面開放枠１４０の下側に取り付けられた発射操作ユニット１５０には、上皿１４３に収容しきれない遊技球を収容する下皿１５１が設けられている。下皿１５１には、下皿球抜きレバー１５２が設けられており、この下皿球抜きレバー１５２を操作する（スライドさせる）ことで下皿１５１内の遊技球を下方に排出することができる。また、発射操作ユニット１５０には、遊技領域１ａに向けての遊技球の発射操作を行うとともに該遊技領域１ａに遊技球を発射する際の発射勢を調節するための操作ハンドル１５３、音声を出力するスピーカ１５４などが設けられている。
【００２７】
前面本体枠１３０には、遊技に必要な各種装置が取り付けられている。なお、前面本体枠１３０に取り付けられている装置は、複数の機種で共通使用可能な装置であり、遊技を統括的に制御する遊技制御装置や演出を制御する演出制御装置などの機種に依存する装置は遊技盤１の裏面に設けられている。すなわち、遊技盤１を変更することにより機種に依存する装置（基板）のみが交換され、遊技機１００の遊技内容を変更することが可能である。
【００２８】
図２に示すように、前面本体枠１３０の裏面であって開口部１３１の下方には、賞球や貸球を排出する球払出装置１９０や遊技領域へ遊技球を発射する発射装置１６０を制御する排出発射制御装置１７０や、各種装置に電力を供給する電源供給装置１７１が取り付けられている。
【００２９】
また、前面本体枠１３０の裏面であって開口部１３１の上方には、遊技機１００が設置される図示しない島設備に設けられた供給装置から供給される遊技球を一時貯留し、球払出装置１９０に供給する貯留タンク１９１が取り付けられている。貯留タンク１９１の底面は、前面本体枠１３０の後方に向かって下るとともに、前面本体枠１３０の裏面側から見て左方向に下る傾斜を有しており、この傾斜下流側に位置する貯留タンク１９１の底面には、貯留タンク１９１内の遊技球を外部に排出する排出口（図示略）が形成されている。
【００３０】
貯留タンク１９１の下方には、排出口に連通した導出流路１９２が形成されている。この導出流路１９２は、排出口から排出された遊技球を前面本体枠１３０の裏面側から見た右端部へ誘導するとともに、前面本体枠１３０の裏面側から見た右端部においてさらに下方へ誘導するように形成されており、その下流側端部は前面本体枠１３０の裏面側から見て開口部１３１の右側に設けられた球払出装置１９０に接続している。
【００３１】
球払出装置１９０は、上部に導出流路１９２に接続する遊技球を受け入れる流入口を、下部に誘導流路１９３に接続する遊技球を排出する排出口を備えており、所定数の遊技球を誘導流路１９３に排出するようになっている。この球払出装置１９０は、排出発射制御装置１７０が、遊技を統括的に制御する遊技制御装置の制御の下で制御するようになっている。
【００３２】
球払出装置１９０の排出口に接続した誘導流路１９３は、前面本体枠１３０の裏面側から見て開口部１３１の右側に沿って形成されており、球払出装置１９０から排出された遊技球を下方に誘導するようになっている。この誘導流路１９３の下流側端部は、前面開放枠１４０の前面に形成された上皿１４３に連通しており、球払出装置１９０から排出された所定数の遊技球が上皿１４３排出されるようになっている。なお、貯留タンク１９１の排出口から球払出装置１９０に至る導出流路１９２内には、常に遊技球が待機している状態となっており、球払出装置１９０によって導出流路１９２内の遊技球が排出されることに伴って貯留タンク１９１から流路に遊技球が流入するようになっている。
【００３３】
この誘導流路１９３は、前面本体枠１３０側に形成された第１流路１９３ａと、前面開放枠１４０側に形成された第２流路１９３ｂとからなる。図３に示すように、前面本体枠１３０の前面であって開口部１３１の下方には第１流路１９３ａの下流側端部が位置している。また、第２流路１９３ｂの上流側端部は前面開放枠１４０の裏面側に位置しており、前面開放枠１４０を閉状態とすることで、第１流路１９３ａの下流側端部と第２流路１９３ｂの上流側端部が接続して連通するように構成されている。なお、図３では本発明にかかる閉鎖部材２３０は図示を省略している。
【００３４】
また、前面本体枠１３０の前面であって開口部１３１の下方には、遊技領域１ａに遊技球を発射するための発射装置１６０が設けられている。発射装置１６０は前面に上皿１４３に連通する発射球供給路１４７からの遊技球を受け入れる受入孔１６１を有し、この受入孔１６１から受け入れた遊技球を、前面側から見て左斜め上方へ向けて設置された発射レール１６２に沿って発射する。発射された遊技球は、開口部１３１に嵌め込まれる遊技盤１（図４に図示）のガイドレール２に沿って移動し遊技領域１ａを流下するようになっている。また、発射レール１６２の上端と開口部１３１との間には、遊技領域１ａへ向けて発射したにもかかわらず、発射勢が弱く戻ってきた遊技球であるファール球を受け入れるファール球流下口１６３が形成されている。このファール球流下口１６３に流入した遊技球は下皿１５１へ返却されるようになっている。
【００３５】
図４に示すように、遊技盤１は、各種部材の取付ベースとなる平板状の遊技盤本体１ｂ（木製もしくは合成樹脂製）を備え、該遊技盤本体１ｂの前面にガイドレール２で囲まれた遊技領域１ａを有している。また、遊技盤本体１ｂの前面であってガイドレール２の外側には、前面構成部材３，３，…が取り付けられている。そして、このガイドレール２で囲まれた遊技領域１ａ内に発射装置１６０から遊技球（打球；遊技媒体）を発射して遊技を行うようになっている。
【００３６】
遊技領域１ａの略中央にはセンターケース２０が取り付けられている。このセンターケース２０に形成された窓部１０ａの後方には、変動表示ゲームをなす特図変動表示ゲームに対応して複数の識別情報を変動表示する飾り特図変動表示ゲームを実行可能な変動表示装置としての表示装置５０が配されるようになっている。この表示装置５０は、例えば、液晶ディスプレイを備え、表示内容が変化可能な表示部がセンターケース２０の窓部１０ａを介して遊技盤１の前面側から視認可能となるように配されている。なお、表示装置５０は液晶ディスプレイを備えるものに限らず、ＥＬ、ＣＲＴ等のディスプレイを備えるものであっても良い。
【００３７】
また、遊技盤１には、普図始動ゲート２１と、普通変動表示ゲームをなす普図変動表示ゲームの未処理回数を表示する普図記憶表示器、普通変動表示装置として普図変動表示ゲームを表示する普図表示器が設けられている。また、遊技領域１ａ内には、第１の始動入賞領域をなす第１始動入賞口２４と、第２の始動入賞領域をなす普通電動入賞装置２５と、が設けられている。そして、遊技球が第１始動入賞口２４又は普通電動入賞装置２５に入賞した場合は、特図変動表示ゲームが実行されるようになっている。
【００３８】
また、遊技盤１には、変動表示装置として特図変動表示ゲームを表示する特図表示器と、特図変動表示ゲームの未処理回数（特図始動記憶）を表示する特図記憶表示器が設けられている。なお、普図記憶表示器、普図表示器、特図表示器、特図記憶表示器、遊技状態を表す遊技状態表示ＬＥＤ、特別遊技状態となった場合のラウンド数（２Ｒ，１５Ｒ）を表示するラウンド数表示器（ＬＥＤ）は、遊技状態表示装置４０として一体に設けられている。
【００３９】
第１始動入賞口２４の内部には第１特図始動口ＳＷが備えられ、この第１特図始動口ＳＷによって遊技球を検出することに基づき、補助遊技としての特図変動表示ゲーム（特別変動表示ゲーム）を開始する始動権利が発生するようになっている。また、普通電動入賞装置２５の内部には第２特図始動口が備えられ、この第２特図始動口ＳＷで遊技球を検出することによっても補助遊技としての特図変動表示ゲーム（特別変動表示ゲーム）を開始する始動権利が発生するようになっている。この特図変動表示ゲームを開始する始動権利は、所定の上限数（例えば４）の範囲内で特図始動記憶として記憶される。そして、この特図始動記憶は、特図記憶表示器に表示される。また、特図記憶表示器の表示に対応して表示部に飾り特図始動記憶表示がなされる。
【００４０】
普通電動入賞装置２５は左右一対の開閉部材２５ａ，２５ａを具備し、第１始動入賞口２４の下部に配設され、この開閉部材２５ａ，２５ａは、常時は遊技球の直径程度の間隔をおいて閉じた閉状態（遊技者にとって不利な状態）を保持している。ただし、上方に第１始動入賞口２４が設けられているので、閉じた状態では遊技球が入賞できないようになっている。そして、普図変動表示ゲームの結果が所定の停止表示態様となった場合には、駆動装置としてのソレノイドによって、逆「ハ」の字状に開いて普通電動入賞装置２５に遊技球が流入し易い開状態（遊技者にとって有利な状態）に変化させられるようになっている。
【００４１】
普図始動ゲート２１内には、該普図始動ゲート２１を通過した遊技球を検出するためのゲートＳＷが設けられている。そして、遊技領域１ａ内に打ち込まれた遊技球が普図始動ゲート２１内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通電動入賞装置２５が開状態に変換されている場合に、普図始動ゲート２１を遊技球が通過すると、普図始動記憶数の上限数未満でならば、普図始動記憶数が１加算されて普図始動記憶が１つ記憶されることとなる。普図始動記憶には、普図変動表示ゲームの当りはずれを決定するための当り判定用乱数値が記憶されるようになっていて、この当り判定用乱数値が判定値と一致した場合に、当該普図変動表示ゲームが当りとなって特別の結果態様（特定結果）が導出されることとなる。
【００４２】
普図変動表示ゲームは、遊技盤１に設けられた普図表示器で実行されるようになっている。なお、表示装置５０の表示領域の一部で普図変動表示ゲームを表示するようにしても良く、この場合は普通識別情報として、例えば、数字、記号、キャラクタ図柄などを用い、これを所定時間変動表示させた後、停止表示させることにより行うようにする。この普図変動表示ゲームの停止表示が特別の結果態様（特定結果）となれば、普図の当りとなって、普通電動入賞装置２５の開閉部材２５ａ，２５ａが所定時間（例えば、０．３秒間）開放される開状態となる。これにより、普通電動入賞装置２５に遊技球が入賞しやすくなり、特図変動表示ゲームの始動が容易となる。
【００４３】
特図変動表示ゲームは、遊技盤１に設けられた特図表示器（変動表示装置）で実行されるようになっており、複数の特別識別情報（特図、特別図柄）を変動表示したのち、所定の結果態様（停止結果態様）を停止表示することで行われる。また、表示装置５０にて各特図変動表示ゲームに対応して複数種類の識別情報（例えば、数字、記号、キャラクタ図柄など）を変動表示させる飾り特図変動表示ゲームが実行されるようになっている。すなわち、特図表示器、表示装置５０が複数の識別情報による変動表示ゲームを表示する変動表示装置をなす。そして、この特図変動表示ゲームの結果として、特図表示器の表示態様が特別結果態様となった場合には、大当りとなって特別遊技状態（いわゆる、大当り状態）となる。また、これに対応して表示装置５０の表示態様も特別結果態様となる。なお、遊技機に特図表示器を備えずに、表示装置５０のみで特図変動表示ゲームを実行するようにしても良い。
【００４４】
遊技領域１ａ内に設けられた変動入賞装置としての特別変動入賞装置２６は、上端側が手前側に倒れる方向に回動して開放可能になっているアタッカ形式の開閉扉２６ｂによって開閉される大入賞口を備えていて、特別遊技状態中は、大入賞口を閉じた状態から開いた状態に変換することにより大入賞口内への遊技球の流入を容易にさせ、遊技者に所定の遊技価値（賞球）を付与するようになっている。なお、開閉扉２６ｂは、例えば、駆動装置としてのソレノイドにより駆動される。また、大入賞口の内部（入賞領域）には、該大入賞口に入った遊技球を検出するカウントＳＷが配設されている。
【００４５】
また、遊技領域１ａには、入賞口などに入賞しなかった遊技球を回収するアウト穴２９が設けられている。この他、遊技領域１ａには、一般入賞口２７，２７，…、打球方向変換部材としての風車、多数の障害釘（図示略）などが配設されている。また、各一般入賞口２７には、一般入賞口２７に入った遊技球を検出するための入賞口ＳＷが配設されている。
【００４６】
そして、遊技を開始することにより遊技領域１ａ内に打ち込まれた遊技球が、一般入賞口２７，２７，…、普通電動入賞装置２５、第１始動入賞口２４、特別変動入賞装置２６等の入賞口の何れかに入賞すると、それぞれの入賞口に対応した所定数の賞球が球払出装置１９０によって払い出されるようになっている。
【００４７】
次に、誘導流路１９３をなす第１流路１９３ａと第２流路１９３ｂの接続部分の構成について説明する。第１流路１９３ａは前面本体枠１３０側に形成され、第２流路１９３ｂは前面開放枠１４０側に形成されており、前面開放枠１４０が閉状態である場合に接続して連通するとともに、前面開放枠１４０を開状態とすると接続が解除されるようになっている。ここで、前面開放枠１４０を閉状態から開状態に変換する際に第１流路１９３ａを流下する遊技球があった場合に遊技球がこぼれる虞があるが、これを防止するために前面本体枠１３０側に落下球回収部２００及び閉鎖部材２３０が設けられている。
【００４８】
図５に示すように、落下球回収部２００は、第１流路１９３ａの下流側端部の下方から前方へ延出する落下球受入部２０１と、落下球受入部２０１に受け入れた遊技球を所定部位に誘導する落下球案内路２０２と、を備えている。この落下球回収部２００は、前面本体枠１３０において各種部材を取り付けるベース部１３２における遊技機１００の左右方向に沿った略鉛直な前面に、落下球流路形成部材２１０を取り付けることで形成される。
【００４９】
図６，図７に示すように、落下球流路形成部材２１０は板状の前面部２１１を有しており、この前面部２１１に形成された取付部２１２により前面部２１１がベース部１３２の前面と略平行となるように取り付けられる。前面部２１１の前面側には第１流路１９３ａの下流側端部に対応する位置に、前面部２１１から前方向に向かって延出する落下球受入部２０１を形成する受皿部２１３が形成されている。この受皿部２１３の延出方向は、第１流路１９３ａから流出する遊技球の流下方向に沿った方向である。受皿部２１３は、後方を除く周囲を囲むように壁部２１３ａが形成されており、受け入れた遊技球が前方にこぼれないようになっている。また、底面２１３ｂは、後方に向かって下る傾斜面となっており、受け入れた遊技球は後方に向けて流下するようになっている。なお、受皿部２１３の壁部２１３ａは底面２１３ｂからの高さが遊技球の直径よりも低くなっている。
【００５０】
図７に示すように、板状の前面部２１１の裏面には、前面部２１１に対して垂直に後方へ突出する板状の流路形成壁２１４が複数形成されている。この流路形成壁２１４の突出幅は遊技球の直径よりもやや広い幅となっており、前面部２１１とベース部１３２の前面との間に遊技球が流下可能な流路が形成されるようになっている。この流路形成壁２１４のうち、落下球流路形成部材２１０の下端に沿って形成される第１流路形成壁２１４ａは、落下球受入部２０１から受け入れた遊技球を落下球流路形成部材２１０の右端の下部に形成される排出部２１５へ向けて誘導する落下球案内路２０２を形成するように、右方へ向かって下る傾斜面を形成する。排出部２１５は下皿１５１へ連通する流路に接続しており、落下球受入部２０１から受け入れた遊技球は下皿１５１へ誘導される。また、落下球案内路２０２の中央部はＳ字状に屈曲するように形成されており、この屈曲部分には、第１流路形成壁２１４ａと遊技球の直径以上の間隔をおいて対向するように第２流路形成壁２１４ｂが形成されている。
【００５１】
落下球流路形成部材２１０の前面側から見た右方の上部は、左方へ向かって上る傾斜部２１７とされており、この傾斜部２１７に沿って発射レール１６２が配される。この傾斜部２１７には、遊技領域１ａへ向けて発射したにもかかわらず、発射勢が弱く戻ってきた遊技球であるファール球を受け入れるファール球流下口１６３及びファール球流路２１６が第３流路形成壁２１４ｃ、第４流路形成壁２１４ｄにより形成されている。
【００５２】
発射レール１６２の上端は傾斜部２１７の途中に位置するように配され、第３流路形成壁２１４ｃは、落下球流路形成部材２１０における発射レール１６２の上端と一致する部分から左方へ下る傾斜面を形成するように設けられている。また、第４流路形成壁２１４ｄは、第３流路形成壁２１４ｃの上方に遊技球の直径以上の間隔をおいた位置から傾斜部２１７に沿って形成されている。この第４流路形成壁２１４ｄは段状になるように形成されており、ファール球の落下に対して十分な強度を有するようになっている。
【００５３】
さらに、第２流路形成壁２１４ｂが第３流路形成壁２１４ｃの傾斜下端よりも遊技球の直径以上の間隔をおいた位置に略垂直に形成されており、ファール球流路２１６はこの部分で下方に屈曲するとともに落下球案内路２０２に合流する。これにより、ファール球流下口１６３から流入したファール球はファール球流路２１６に流入し、さらに下方の落下球案内路２０２に合流して排出部２１５から排出されて下皿１５１へ誘導される。
【００５４】
また、前面部２１１には、落下球案内路２０２の屈曲部分からファール球流路２１６と落下球案内路２０２の合流部分にかけて、前後に貫通するスリット状の球詰まり解消孔２１８が形成されている。この部分では遊技球の流下方向の変更や合流が行われるため、球詰まりが発生する可能性があり、球詰まりが発生した場合に球詰まり解消孔２１８から棒状の部材を挿入して球詰まりを解消できるようにされている。
【００５５】
また、落下球案内路２０２におけるファール球流路２１６との合流部分よりも下流側には、落下球案内路２０２の上壁を形成するように、第１流路形成壁２１４ａと遊技球の直径以上の間隔をおいて平行に第５流路形成壁２１４ｅが形成されている。そして、第５流路形成壁２１４ｅの上流側端部であるファール球流路２１６と落下球案内路２０２の合流部分には、不正行為を目的として下皿１５１から挿入された不正部材（針金など）の侵入を防止する不正防止手段２２０が設けられている。
【００５６】
この不正防止手段２２０が設けられた部分では、第５流路形成壁２１４ｅの合流部分から下流側の所定範囲が上方へ湾曲しているとともに、湾曲した部分の下方に第１流路形成壁２１４ａと遊技球の直径以上の間隔をおいて平行に第６流路形成壁２１４ｆが形成されている。これにより、第５流路形成壁２１４ｅの湾曲部分と第３流路形成壁２１４ｃの下面及び第６流路形成壁２１４ｆの上面とで空間部２２１が形成される。さらに、第５流路形成壁２１４ｅの湾曲した部分の下流側端部と、第６流路形成壁２１４ｆの下流側端部との間には、空間部２２１に連通する間隙部２２２が形成されている。
【００５７】
不正行為を目的として下皿１５１から挿入された不正部材は、下方に向けて開口する排出部２１５から落下球案内路２０２に挿入されるため、落下球案内路２０２の上壁をなす第５流路形成壁２１４ｅに沿って上流側へと侵入する。このように挿入された不正部材は、不正防止手段２２０が形成された部分に達すると間隙部２２２から空間部２２１に侵入するためこれよりも上流側へ侵入することができなくなり、不正行為を防止することができる。
【００５８】
図５に示すように、閉鎖部材２３０は、第１流路１９３ａの下流側端部の下方となる位置に、前面本体枠１３０のベース部１３２の前面に対して上下にスライド可能に取り付けられた板状の部材である。閉鎖部材２３０は、例えば図１５に示すように、第１流路１９３ａの下流側端部を閉鎖する閉鎖状態と、図１７に示すように開放する開放状態とに変換可能となっている。ただし、閉鎖状態では、第１流路１９３ａの下側部分のみを閉鎖するようになっている。この閉鎖部材２３０は、付勢部材をなす引張コイルばね２４０により常時閉鎖状態となる方向である上方向へ向けて付勢されており、前面開放枠１４０を閉状態とした際に開放状態に変換されるようになっている。なお、図５では、説明のために開放状態となっている状態を示しているが、このように外部から力が加わっていない状態では付勢部材の付勢力により閉鎖状態となるようにされている。
【００５９】
図８に示すように、閉鎖部材２３０の前面は、左側部分が下方に向かって前方に突出する傾斜面２３１となっている。この傾斜面２３１は、後述するように前面開放枠１４０を閉状態に変換することに伴い閉鎖部材２３０を開放状態に変換する変換手段の一部をなす。また、閉鎖部材２３０の右側部分は落下球案内路２０２の下流側に近い部分であり、遊技球が落下球案内路２０２に落下しやすくなるように平面２３２となっている。さらに、下方に向かって前方に突出する傾斜面２３１の右端は、傾斜面２３１である左側部分と平面２３２である右側部分の境目となる部分であり、落下球案内路２０２の下流側へ遊技球を誘導するように、下方に向かって右方へ突出する傾斜面２３３となっている。
【００６０】
図９に示すように、閉鎖部材２３０の裏面には、前面本体枠１３０のベース部１３２に形成されたスリット状の案内部１３４に係合する係合部２３４が形成されている。この係合部２３４は、閉鎖部材２３０の裏面から後方に突出するとともに先端が左方に突出するＬ字状に形成されており、裏面における左右二ヶ所に形成されている。
【００６１】
また、閉鎖部材２３０の裏面には、後方に突出したリブ状の当接部２３５が形成されている。この当接部２３５は、閉鎖部材２３０をベース部１３２に取り付けた際にベース部１３２の前面に当接するようになっており、これによりベース部１３２と閉鎖部材２３０の接触面積が減って閉鎖部材２３０の動作が円滑になる。また、閉鎖部材２３０の両側端には、付勢部材をなす引張コイルばね２４０の一端部を係止する係止部２３６が形成されている。
【００６２】
図１０に示すように、ベース部１３２における閉鎖部材２３０を取り付ける第１流路１９３ａの下方となる位置には、スリット状の案内部１３４が閉鎖部材２３０の動作範囲に合わせて上下に延在するように形成されている。この案内部１３４は、係合部２３４の後方に突出する部分が通過可能なスリット部１３４ａと、左方に突出した先端部分が係合する被係合部１３４ｂとが形成されている。また、案内部１３４の所定位置には、閉鎖部材２３０を取り付ける際に係合部２３４を挿入するための挿入部１３４ｃが形成されている。閉鎖部材２３０をベース部１３２に取り付ける際には、挿入部１３４ｃから係合部２３４を挿入し、左方にスライドさせて係合部２３４が案内部１３４の被係合部１３４ｂに係合するようにする。これにより、閉鎖部材２３０は案内部１３４に沿って上下に移動可能に取り付けられる。また、ベース部１３２における第１流路１９３ａの下流側端部の両側方であって、閉鎖部材２３０を取り付けた際に閉鎖部材２３０の係止部２３６と上下に対向する位置には、付勢部材をなす引張コイルバネ２４０の他端部を係止する係止部１３５が形成されている。
【００６３】
前面開放枠１４０側に形成された第２流路１９３ｂは、図１に示すように、前面開放枠１４０の前面側に設けられた上皿１４３と前面開放枠１４０の裏面とを連通する連通部２５０と、図３に示すように、前面開放枠１４０の裏面側であって連通部２５０に接続するように取り付けられた第２流路形成部材２６０と、から構成されている。
【００６４】
図１１から図１３に示すように、第２流路形成部材２６０は、略矩形筒状の部材であり、前面開放枠１４０側に取り付けられる前側の開口２６１は、図１４に示す上皿１４３に連通する連通部２５０の開口と同じ大きさの開口となっている。図１２、図１３に示すように、この前側の開口２６１に近い第２流路形成部材２６０の両側面には、前面開放枠１４０に取り付けるための取付部２６２が形成されている。取付部２６２には、連通部２５０に隣接して前面開放枠１４０の裏面から後方に突出するように形成された取付ボス１４８（図１４に図示）を挿入する挿入凹部２６２ａが形成されており、第２流路形成部材２６０を前面開放枠１４０の裏面の所定位置に配設できるようになっている。また、取付ボス１４８の後端部にはねじ止め部１４８ａが形成され、取付部２６２の対応する位置にはねじ孔２６２ｂが形成されており、ねじにより第２流路形成部材２６０を固定できるようになっている。
【００６５】
このように第２流路形成部材２６０を前面開放枠１４０の所定位置に取り付けることで、前面開放枠１４０の裏面側に位置する連通部２５０の開口と第２流路形成部材２６０の前面側の開口２６１が接続し、矩形筒状の第２流路１９３ｂが形成される。また、図１４に示すように、前面開放枠１４０の裏面側に位置する連通部２５０の開口の下方には、前方に窪んだ凹部２５１が形成されている。この凹部２５１には、図１７に示すように前面開放枠１４０を閉状態とした際に前面本体枠１３０側に設けられた上述の落下球受入部２０１が収容される。
【００６６】
図１１に示すように、第２流路形成部材２６０における前面本体枠１３０側に配される後側の開口２６３は第２流路１９３ｂの上流側端部をなし、前面開放枠１４０を閉状態とした際に前面本体枠１３０側の第１流路１９３ａの下流側端部と接続する。ここで、前面本体枠１３０側に配される後側の開口２６３の大きさよりも、前面開放枠１４０側に取り付けられる前側の開口２６１の大きさのほうが小さいため、前面本体枠１３０側に配される後側から前面開放枠１４０側に取り付けられる前側へ向かって内部の流路が徐々に縮小するように、上面が傾斜した面となっている。これにより、第１流路１９３ａから流出した遊技球を円滑に上皿１４３へ誘導可能である。
【００６７】
また、図１３に示すように、第２流路形成部材２６０の内部の両側面には流下する遊技球の流下方向を制御するための流下方向変更リブ２６４が形成されている。この流下方向変更リブ２６４は、第２流路形成部材２６０の内部を後方から前方へ向かって流下する遊技球の流下方向を、前方から見て左側へ誘導するようになっている。これにより排出された遊技球が上皿１４３の左端部側へ誘導されるようになる。
【００６８】
また、図１２に示すように、第２流路形成部材２６０の下面には、下方に突出するリブ状の誘導部２６６が形成されている。この誘導部２６６は、前面開放枠１４０を閉状態とした際に落下球受入部２０１内に停留している遊技球を後方の落下球案内路２０２に押し出して誘導するためのものである。なお、落下球受入部２０１の壁部２１３ａは遊技球の直径よりも低く、誘導部２６６の下方への突出幅は、落下球受入部２０１内の遊技球と接触可能であるとともに壁部２１３ａと前後に重ならない幅とされている。
【００６９】
また、図１１に示すように、第２流路形成部材２６０における前面本体枠１３０側に配される後側の開口２６３には、底面を後方へ延長するように後方へ突出する板状の後方突出部２６５が形成されている。この後方突出部２６５の後端は、後述するように前面開放枠１４０を閉状態に変換することに伴い、閉鎖部材２３０を開放状態に変換する変換手段の一部をなす。なお、図１０に示すように、第１流路１９３ａの下流側端部の下部には、前方に開口する凹部１３６が形成されており、前面開放枠１４０を閉状態とした際には後方突出部２６５が凹部１３６に挿入された状態となる。
【００７０】
以上のような構成を有することにより、前面開放枠１４０の開閉動作の際に遊技球がこぼれることを防止できる。図１５に示すように、前面開放枠１４０が開状態である場合には、閉鎖部材２３０が付勢部材をなす引張コイルバネ２４０の付勢力により閉鎖状態となる。この閉鎖状態では、閉鎖部材２３０が第１流路１９３ａの下流側端部における下側部分を覆う位置に配され、第１流路１９３ａからの遊技球の流出が阻止される。
【００７１】
この状態から前面開放枠１４０を閉状態に変換すると、まず図１６に示すように、後方突出部２６５が閉鎖部材２３０の傾斜面２３１に当接する。傾斜面２３１は下方に向かって前方に突出するようになっているため、後方突出部２６５により後方へ押圧されることで、閉鎖部材２３０が付勢部材の付勢力に抗して下方へ移動する。このように、前面開放枠１４０が完全に閉状態となる前の状態において、閉鎖部材２３０を越えて第１流路１９３ａから流出した遊技球は、落下球受入部２０１に流入する。
【００７２】
そして、図１７に示すように、前面開放枠１４０を閉状態とすると、第１流路１９３ａと第２流路１９３ｂが接続して誘導流路１９３が連通する。このとき、後方突出部２６５は閉鎖部材２３０の上方に重なるとともに、第１流路１９３ａの下流側端部に形成された凹部１３６に挿入された状態となる。これにより、閉鎖部材２３０が完全に開放状態となるとともに、前面開放枠１４０が閉状態であるにもかかわらず閉鎖部材２３０が閉鎖状態となってしまうことを防止できる。また、第１流路１９３ａと第２流路１９３ｂの接合部分で間隙ができることがなく、誘導流路１９３を流下する遊技球を確実に上皿１４３へ誘導することができる。また、前面開放枠１４０を閉状態に変換することに伴い、第２流路形成部材２６０の下面に形成された誘導部２６６が落下球受入部２０１の上側を後方に移動するので、落下球受入部２０１に遊技球が停留していた場合は誘導部２６６により後方の落下球案内路２０２へ誘導される。
【００７３】
前面開放枠１４０を閉状態から開状態に変換する際には上述した動作とは逆の動作となり、図１７に示す状態から後方突出部２６５が前方に移動することに伴い、閉鎖部材２３０が付勢部材の付勢力により上方へ移動して閉鎖状態に変換される。
【００７４】
なお、上述の実施形態では上皿１４３と下皿１５１とを備える構成としたが、上皿と下皿の機能を一体とした貯留部のみを備える構成としても良い。また、前面開放枠１４０に遊技盤の前面を覆うガラス板１４１と貯留部としての上皿１４３を備える構成としたが、貯留部としての上皿１４３を備える前面開放枠１４０と、該前面開放枠１４０とは別に遊技盤の前面を覆うガラス板１４１を備えたガラス枠とを備える構成としても良い。すなわち、前面開放枠１４０は少なくとも上述の実施形態で説明した上皿１４３の機能を有する貯留部を有していれば良い。また、落下球回収部２００で回収した遊技球は下皿１５１に返却されるとしたが、遊技者に回収した遊技球を返却できれば下皿１５１以外であっても良く、遊技機１００の前面側であれば良い。
【００７５】
また、閉鎖部材２３０は、第１流路１９３ａの下流側端部における下側部分を閉鎖する構成としたが、第１流路１９３ａの下流側端部の全てを閉鎖する構成としても良い。また、遊技球が第１流路１９３ａから落下しないようにするものであれば良く、遊技球が通過できない間隙を有していても良い。また、閉鎖部材２３０が閉鎖状態と開放状態との間で変換する際の動作をスライド動作としたが、回動動作など何でも良い。また、付勢部材は引張コイルバネ２４０に限られず、ゴムなどの弾性体であっても良い。また、付勢部材は閉鎖部材２３０を閉鎖状態となるように付勢する構成であれば良く、上述した構成に限られない。また、閉鎖部材２３０を開放状態に変換する変換手段を後方突出部２６５と傾斜面２３１により構成したが、例えば、前面開放枠の開放を検出するセンサや閉鎖部材を駆動する手段を備え、電気的に動作するものとしても良い。
【００７６】
また、落下球受入部２０１の壁部２１３ａは遊技球の直径よりも低く、誘導部２６６の下方への突出幅は、落下球受入部２０１内の遊技球と接触可能であるとともに壁部２１３ａと前後に重ならない幅としたが、これに限られるものではない。例えば、誘導部２６６を可撓性のある材質とすれば、壁部２１３ａを遊技球の直径よりも高くしても良いし、誘導部２６６の下方への突出幅が落下球受入部２０１内の遊技球と接触可能である幅であれば、壁部２１３ａと前後に重なる幅でも良い。誘導部２６６を可撓性のある材質で構成する場合の形状は、上述の実施形態と同様に板状とする場合の他、ブラシ状にしたり遊技球の直径以下の間隙を有する櫛歯状にしたりしても良い。
【００７７】
また、壁部２１３ａを上方へ延出する櫛歯状に形成するとともに誘導部２６６を下方に延出する櫛歯状とし、前面開放枠１４０の開閉の際に壁部２１３ａの櫛歯状の部分と誘導部２６６の櫛歯状の部分とがすれ違うことのできるように（前後に重ならないように）しても良い。このようにすれば、壁部２１３ａを遊技球の直径よりも高くしても良いし、誘導部２６６の下方への突出幅が落下球受入部２０１内の遊技球と接触可能である幅であれば、壁部２１３ａと前後に重なる幅でも良い。なお、壁部２１３ａに加えて底面２１３ｂも櫛歯状として、誘導部２６６が底面２１３ｂよりも下方に突出するようにしても良い。
【００７８】
以上のような遊技機１００は、前面に遊技球が流下する遊技領域１ａを形成した遊技盤１と、遊技領域１ａに設けられた入賞口に遊技球が入賞したことに基づき所定数の球を払い出す球払出装置１９０と、遊技盤１及び球払出装置１９０を取り付ける前面本体枠１３０と、遊技球を貯留する貯留部（上皿１４３）を有し、前面本体枠１３０の前面に重なる閉状態と、前面本体枠１３０の前方に回動した開状態とに変換可能に取り付けられた前面開放枠１４０と、球払出装置１９０から払い出された遊技球を貯留部に誘導する誘導流路１９３と、を備えた遊技機１００であって、誘導流路１９３は、前面本体枠１３０側に設けられた第１流路１９３ａと、前面開放枠１４０側に設けられた第２流路１９３ｂと、からなり、前面開放枠１４０が閉状態である場合に、第１流路１９３ａの下流側端部と第２流路１９３ｂの上流側端部が接続して連通するように構成され、前面本体枠１３０は、前面開放枠１４０が開状態である場合に、第１流路１９３ａの下流側端部から流出する遊技球を回収する落下球回収部２００を備え、落下球回収部２００は、第１流路１９３ａの下流側端部の下方から前方へ延出する落下球受入部２０１と、落下球受入部２０１に受け入れた遊技球を所定部位に誘導する落下球案内路２０２と、を備え、前面開放枠１４０は、当該前面開放枠１４０を閉状態とした際に落下球受入部２０１の上方に重なる部分に、当該落下球受入部２０１内に停留する遊技球を落下球案内路２０２へ誘導する誘導部２６６を備えている。
【００７９】
したがって、前面本体枠１３０は、前面開放枠１４０が開状態である場合に、第１流路１９３ａの下流側端部から流出する遊技球を回収する落下球回収部２００を備え、落下球回収部２００は、第１流路１９３ａの下流側端部の下方から前方へ延出する落下球受入部２０１と、落下球受入部２０１に受け入れた遊技球を所定部位に誘導する落下球案内路２０２と、を備えるので、前面開放枠１４０を開放した際に、誘導流路１９３から排出される遊技球がこぼれないようにすることができる。また、落下球受入部２０１に受け入れた遊技球を所定部位に誘導する落下球案内路２０２により、回収した遊技球が遊技者に返却されるので、遊技者が得た利益を損なうことがない。
【００８０】
また、前面開放枠１４０は、当該前面開放枠１４０を閉状態とした際に落下球受入部２０１の上方に重なる部分に、当該落下球受入部２０１内に停留する遊技球を落下球案内路２０２へ誘導する誘導部２６６を備えるので、前面開放枠１４０を開状態から閉状態に変換する際に、落下球受入部２０１に遊技球が残っていたとしても落下球案内路２０２側に誘導することができ、遊技球が邪魔で前面開放枠１４０が閉まらなくなることを防止できる。また、回収した遊技球を確実に遊技者に返却することができる。
【００８１】
また、前面本体枠１３０は、第１流路１９３ａの下流側端部を閉鎖する閉鎖状態と、開放する開放状態とに変換可能な閉鎖部材２３０と、閉鎖部材２３０を閉鎖状態となるように付勢する付勢部材（引張コイルバネ２４０）と、前面開放枠１４０を閉状態に変換することに伴い、閉鎖部材２３０を前記開放状態に変換する変換手段（後方突出部２６５、傾斜面２３１）と、を備えている。
【００８２】
したがって、前面本体枠１３０は、第１流路１９３ａの下流側端部を閉鎖する閉鎖状態と、開放する開放状態とに変換可能な閉鎖部材２３０と、閉鎖部材２３０を閉鎖状態となるように付勢する付勢部材と、前面開放枠１４０を閉状態に変換することに伴い、閉鎖部材２３０を開放状態に変換する変換手段と、を備えるので、前面開放枠１４０を開放した際に、誘導流路１９３から排出される遊技球がこぼれないようにすることができる。また、前面開放枠１４０を閉状態に変換することに伴い、閉鎖部材２３０を開放状態に変換する変換手段を備えるので、閉鎖部材２３０を開放状態に変換するために特別な操作を必要とせず、メンテナンス等の際の手間がかかることがない。
【００８３】
また、閉鎖部材２３０は、閉鎖状態から下方に移動することで開放状態に変換されるように構成され、変換手段は、閉鎖部材２３０の前面に形成された下方に向かって前方に突出する傾斜面２３１と、第２流路１９３ｂの上流側端部の下端に形成された後方突出部２６５と、から構成され、前面開放枠１４０を閉状態とする際に、後方突出部２６５が傾斜面２３１に当接して当該傾斜面２３１を後方へ押圧することで閉鎖部材２３０が下方に移動し、開放状態に変換されるようにしている。
【００８４】
したがって、閉鎖部材２３０は、閉鎖状態から下方に移動することで開放状態に変換されるように構成され、変換手段は、閉鎖部材２３０の前面に形成された下方に向かって前方に突出する傾斜面２３１と、第２流路１９３ｂの上流側端部の下端に形成された後方突出部２６５と、から構成され、前面開放枠１４０を閉状態とする際に、後方突出部２６５が傾斜面２３１に当接して当該傾斜面２３１を後方へ押圧することで閉鎖部材２３０が下方に移動し、開放状態に変換されるので、閉鎖部材２３０を開放状態に変換するために特別な操作を必要とせず、メンテナンス等の際の手間がかかることがない。また、閉鎖状態から開放状態に変換する際に下方に移動することで変換されるため、変換の過程において遊技球が第１流路１９３ａからこぼれにくい。
【００８５】
また、後方突出部２６５は、前面開放枠１４０を閉状態とした際に、閉鎖部材２３０の上方に重なるようにしている。
【００８６】
したがって、後方突出部２６５は、前面開放枠１４０を閉状態とした際に、閉鎖部材２３０の上方に重なるので、前面開放枠１４０を閉状態とした際に閉鎖部材２３０を確実に開放状態とすることができる。また、前面開放枠１４０を閉状態としているにもかかわらず閉鎖部材２３０が閉鎖状態となるような不具合を防止できる。また、第１流路１９３ａと第２流路１９３ｂの接合部分で間隙ができることがなく、誘導流路１９３を流下する遊技球を確実に貯留部（上皿１４３）へ誘導することができる。
【００８７】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００８８】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１        遊技盤
１ａ      遊技領域
１００    遊技機
１３０    前面本体枠
１４０    前面開放枠
１４３    上皿（貯留部）
１９０    球払出装置
１９３    誘導流路
１９３ａ  第１流路
１９３ｂ  第２流路
２００    落下球回収部
２０１    落下球受入部
２０２    落下球案内路
２３０    閉鎖部材
２３１    傾斜面（変換手段）
２４０    引張コイルバネ（付勢部材）
２６５    後方突出部（変換手段）
２６６    誘導部
【図１】
2011030905.tif 000003
【図２】
2011030905.tif 000004
【図３】
2011030905.tif 000005
【図４】
2011030905.tif 000006
【図５】
2011030905.tif 000007
【図６】
2011030905.tif 000008
【図７】
2011030905.tif 000009
【図８】
2011030905.tif 000010
【図９】
2011030905.tif 000011
【図１０】
2011030905.tif 000012
【図１１】
2011030905.tif 000013
【図１２】
2011030905.tif 000014
【図１３】
2011030905.tif 000015
【図１４】
2011030905.tif 000016
【図１５】
2011030905.tif 000017
【図１６】
2011030905.tif 000018
【図１７】
2011030905.tif 000019